(57)【要約】【課題】送信電波の品質を維持しながら、オーバーシュートの発生を抑制する。【解決手段】通信機１は、送信信号を増幅して出力する、利得が可変である増幅器１１、送信信号の電圧を検出し、検出電圧を出力する出力検波器１４、ならびに増幅器１１の利得を制御する第１のＡＬＣ回路１５および第２のＡＬＣ回路１６を備える。第１のＡＬＣ回路１５は、検出電圧に応じた第１の電圧と第１の閾値Ｔｈ１との差を低減する方向に増幅器１１の利得を制御する。第２のＡＬＣ回路１６は、検出電圧に応じた第２の電圧が第２の閾値Ｔｈ２より大きい場合に、第２の電圧と第２の閾値Ｔｈ２との差を低減する方向に増幅器１１の利得を制御する。【選択図】図１
2018121266.tif 000002
【特許請求の範囲】
【請求項１】
送信信号の電力を増幅して出力する、利得が可変である増幅器と、
前記増幅器が出力する前記送信信号の電圧を検出し、検出電圧を出力する出力検波器と、
前記出力検波器が出力する前記検出電圧に応じた第１の電圧と定められた第１の閾値との差を低減する方向に前記増幅器の利得を制御する第１のＡＬＣ回路と、
前記出力検波器が出力する前記検出電圧に応じた第２の電圧が定められた第２の閾値より大きい場合に、前記第２の電圧と前記第２の閾値との差を低減する方向に前記増幅器の利得を制御する第２のＡＬＣ回路と、
を備え、
前記第２のＡＬＣ回路の時定数は、前記第１のＡＬＣ回路の時定数より小さい、
通信機。
【請求項２】
前記出力検波器と前記第２のＡＬＣ回路との間に設けられる回路素子をさらに備え、
前記第１の電圧は、前記検出電圧であり、
前記第２の電圧は、前記回路素子によって昇圧または降圧された前記検出電圧である、
請求項１に記載の通信機。
【請求項３】
前記回路素子は、降圧素子であり、
前記第２の電圧は、前記回路素子によって降圧された前記検出電圧であり、
前記第１の閾値と前記第２の閾値とは同じ値である、
請求項２に記載の通信機。
【請求項４】
前記出力検波器と前記第２のＡＬＣ回路との間に設けられ、前記検出電圧から交流成分を抽出して出力する抽出器をさらに備え、
前記第２の電圧は、前記抽出器が出力する前記交流成分である、
請求項１に記載の通信機。
【請求項５】
前記第１の電圧および前記第２の電圧は、前記検出電圧であり、
前記第１の閾値は、前記第２の閾値より小さい、
請求項１に記載の通信機。
【発明の詳細な説明】
【技術分野】
【０００１】
本発明は、利得が可変である増幅器を有する通信機に関する。
【背景技術】
【０００２】
通信機は、所望の電力を有する送信信号を得るため、送信信号の電力を増幅する、利得が可変である増幅器、および増幅器の利得を制御するＡＬＣ（Automatic Level Control）回路を備える。
【０００３】
特許文献１に開示されるＡＬＣ回路は、アンテナ不整合、各部温度上昇等の個々の原因に対し、複数のＡＬＣ電圧検出手段および時定数回路を備える。例えば、アンテナの定在波比の急激な変化に追従し得る保持期間を有する時定数回路を設けることで、増幅器の利得を定在波比の急激な変化に追従させることが可能である。
【０００４】
特許文献２に開示される無線送信装置は、それぞれに検波回路の出力が入力される、第１の時定数回路および第２の時定数回路を備える。第１の時定数回路の時定数は、第２の時定数回路の時定数より大きい。送信制御信号に基づき、送信オン時は、第２の時定数回路の出力に応じて利得制御が行われ、送信オフ時は、第１の時定数回路の出力に応じて利得制御が行われる。この構成により、送信オフから送信オンに切り替わる際の、送信レベルが安定するまでの時間が短縮される。
【先行技術文献】
【特許文献】
【０００５】
【特許文献１】特開昭６０−７２１５号公報
【特許文献２】特開２００２−１６５０６号公報
【発明の概要】
【発明が解決しようとする課題】
【０００６】
特許文献１に開示されるＡＬＣ回路においては、個々の原因に対し、専用の時定数回路を備える必要があり、回路構造が複雑化してしまう。特許文献２に開示される無線送信装置は、送信制御信号に基づき時定数回路を切り換えるものであり、送信信号の急峻な変化には追従できない可能性がある。
【０００７】
所望の送信電波の品質に応じて、ＡＬＣ回路の時定数を定めた場合に、例えば、ＳＳＢ（Single Side Band：単側波帯）変調によって生成された送信信号の急峻な変化に対し、増幅器の出力の急峻な変化であるオーバーシュートが生じるという課題がある。ＡＬＣ回路の時定数を小さくすることで、オーバーシュートの発生を抑制することが可能である。しかしながら、ＡＬＣ回路の時定数を小さくすることで、スプラッタ、スプリアス、リンギング等が発生して、送信電波の品質が劣化することがある。
【０００８】
増幅器の飽和電力を低減することで、オーバーシュートの発生を抑制することが可能である。しかしながら、増幅器の飽和電力を低減することで、ＩＭＤ（Intermodulation Distortion：相互変調歪）の発生等により、送信電波の品質が劣化することがある。また増幅器の飽和電力を低減することで、増幅器の飽和電力と通信機の定格出力電力との差が小さくなると、増幅器の利得が低下した場合に、増幅器において、定格出力電力に達するために十分な利得が得られないことがある。この場合、ＡＬＣ回路が出力するＡＬＣ電圧が、増幅器の利得を最大にする電圧になるため、ＡＬＣ回路が制御できない状態になり、送信電波の品質が劣化する。すなわち、オーバーシュートの発生の抑制と、送信電波の品質の確保とは、トレードオフの関係にある。
【０００９】
本発明は上述の事情に鑑みてなされたものであり、送信電波の品質を維持しながら、オーバーシュートの発生を抑制することが目的である。
【課題を解決するための手段】
【００１０】
上記目的を達成するため、本発明に係る通信機は、
送信信号の電力を増幅して出力する、利得が可変である増幅器と、
前記増幅器が出力する前記送信信号の電圧を検出し、検出電圧を出力する出力検波器と、
前記出力検波器が出力する前記検出電圧に応じた第１の電圧と定められた第１の閾値との差を低減する方向に前記増幅器の利得を制御する第１のＡＬＣ回路と、
前記出力検波器が出力する前記検出電圧に応じた第２の電圧が定められた第２の閾値より大きい場合に、前記第２の電圧と前記第２の閾値との差を低減する方向に前記増幅器の利得を制御する第２のＡＬＣ回路と、
を備え、
前記第２のＡＬＣ回路の時定数は、前記第１のＡＬＣ回路の時定数より小さい。
【００１１】
好ましくは、前記出力検波器と前記第２のＡＬＣ回路との間に設けられる回路素子をさらに備え、
前記第１の電圧は、前記検出電圧であり、
前記第２の電圧は、前記回路素子によって昇圧または降圧された前記検出電圧である。
【００１２】
好ましくは、前記回路素子は、降圧素子であり、
前記第２の電圧は、前記回路素子によって降圧された前記検出電圧であり、
前記第１の閾値と前記第２の閾値とは同じ値である。
【００１３】
好ましくは、前記出力検波器と前記第２のＡＬＣ回路との間に設けられ、前記検出電圧から交流成分を抽出して出力する抽出器をさらに備え、
前記第１の電圧は、前記検出電圧であり、
前記第２の電圧は、前記抽出器が出力する前記交流成分である。
【００１４】
好ましくは、前記第１の電圧および前記第２の電圧は、前記検出電圧であり、
前記第１の閾値は、前記第２の閾値より小さい。
【発明の効果】
【００１５】
本発明によれば、第１のＡＬＣ回路に加えて、検出電圧に応じた第２の電圧が定められた第２の閾値より大きい場合に、第２の電圧と第２の閾値との差を低減する方向に増幅器の利得を制御し、時定数が第１のＡＬＣ回路の時定数より小さい第２のＡＬＣ回路を備えることで、送信電波の品質を維持しながら、オーバーシュートの発生を抑制することが可能である。
【図面の簡単な説明】
【００１６】
【図１】本発明の実施の形態１に係る通信機の構成例を示すブロック図
【図２】実施の形態１に係る通信機の構成例を示すブロック図
【図３】実施の形態１に係る通信機の構成例を示すブロック図
【図４】通信機の構成例を示すブロック図
【図５】実施の形態１に係る増幅器の出力電圧の例を示す図
【図６】実施の形態１に係る増幅器の出力電圧の例を示す図
【図７】実施の形態１に係る増幅器の出力電圧の例を示す図
【図８】実施の形態１に係る増幅器の出力電圧の例を示す図
【図９】本発明の実施の形態２に係る通信機の構成例を示すブロック図
【図１０】実施の形態２に係る増幅器の出力電圧の例を示す図
【発明を実施するための形態】
【００１７】
以下、本発明の実施の形態について図面を参照して詳細に説明する。なお図中、同一または同等の部分には同一の符号を付す。
【００１８】
（実施の形態１）
図１は、本発明の実施の形態１に係る通信機の構成例を示すブロック図である。通信機１は、端子１０から入力される送信信号を増幅する、利得が可変である増幅器１１、および増幅器１１が出力する送信信号の一部を取り出す方向性結合器１２を備える。送信信号は、例えば、ＳＳＢ（Single Side Band：単側波帯）変調によって生成された信号である。増幅器１１で増幅された送信信号は、方向性結合器１２を経由して、アンテナ１３から送信される。通信機１は、方向性結合器１２が出力する送信信号の電圧を検出し、検出電圧を出力する出力検波器１４、検出電圧に応じた第１の電圧と第１の閾値Ｔｈ１とに応じて増幅器１１の利得を制御する第１のＡＬＣ（Automatic Level Control）回路１５、および、検出電圧に応じた第２の電圧と第２の閾値Ｔｈ２とに応じて増幅器１１の利得を制御する第２のＡＬＣ回路１６をさらに備える。Ｔｈ１とＴｈ２は同じ値でもよいし、異なる値でもよい。
【００１９】
第１のＡＬＣ回路１５は、第１の電圧とＴｈ１との差を低減する方向に増幅器１１の利得を制御する。第２のＡＬＣ回路１６は、第２の電圧がＴｈ２より大きい場合に、第２の電圧とＴｈ２との差を低減する方向に増幅器１１の利得を制御する。図１の例では、第１のＡＬＣ回路１５の出力電圧と第２のＡＬＣ回路１６の出力電圧とが重畳された電圧であるＡＬＣ電圧によって、増幅器１１の利得が制御される。第２のＡＬＣ回路１６の時定数は、第１のＡＬＣ回路１５の時定数より小さい。第１のＡＬＣ回路１５および第２のＡＬＣ回路１６の時定数は、送信電波の品質、周辺回路等に応じて定めることができる。
【００２０】
通信機１の各部は、コントローラ２０によって制御される。コントローラ２０は、ＣＰＵ（Central Processing Unit：中央処理装置）２１、ＲＡＭ（Random Access Memory）２３、およびＲＯＭ（Read-Only Memory）２４を備える。複雑化を避け、理解を容易にするために、コントローラ２０から各部への信号線が省略されている。コントローラ２０は通信機１の各部にＩ／Ｏ（Input／Output）２２を介して接続しており、それらの処理の開始、終了、処理内容の制御を行う。ＲＯＭ２４は、コントローラ２０が通信機１の動作を制御するための制御プログラムを格納する。コントローラ２０は、制御プログラムに基づいて、通信機１の各部を制御する。
【００２１】
図２は、実施の形態１に係る通信機の構成例を示すブロック図である。図２の例では、通信機１は、出力検波器１４と第２のＡＬＣ回路１６との間に設けられる回路素子１７を備える。図２の例では、第１のＡＬＣ回路１５が増幅器１１の利得の制御に用いる第１の電圧は、出力検波器１４が出力する検出電圧である。第２のＡＬＣ回路１６が増幅器１１の利得の制御に用いる第２の電圧は、回路素子１７によって昇圧または降圧された検出電圧である。図２の例のように、通信機１が回路素子１７として抵抗１７１を備える場合、抵抗１７１によって分圧された検出電圧が第２のＡＬＣ回路１６に入力される。すなわち、第２の電圧は、回路素子１７によって降圧された検出電圧である。
【００２２】
図２の例では、第１の閾値および第２の閾値は同じ値であり、Ｔｈ０である。時定数が第１のＡＬＣ回路１５の時定数より小さい第２のＡＬＣ回路１６に、降圧した検出電圧を入力し、第１の閾値および第２の閾値を共にＴｈ０とすることで、急峻な立ち上がりを有する送信信号が入力された場合に、第２のＡＬＣ回路１６が増幅器１１の利得の制御を行う。これにより、増幅器１１の利得を送信信号の急峻な立ち上がりに追従させることが可能である。
【００２３】
図３は、実施の形態１に係る通信機の構成例を示すブロック図である。図２に示す通信機１が回路素子１７として備える抵抗１７１に代えて、図３に示す通信機１は、回路素子１７としてダイオード１７２を備える。ダイオード１７２の順方向電圧降下により、降圧された検出電圧が第２のＡＬＣ回路１６に入力される。すなわち、図３の例において、第２の電圧は、回路素子１７によって降圧された検出電圧である。図２と同様に、図３の例においても、第１の閾値および第２の閾値は同じ値であり、Ｔｈ０である。図２に示す通信機１と同様に、図３に示す通信機１においても、急峻な立ち上がりを有する送信信号が入力された場合に、第２のＡＬＣ回路１６が増幅器１１の利得の制御を行うことで、増幅器１１の利得を送信信号の急峻な立ち上がりに追従させることが可能である。
【００２４】
回路素子１７は、上述の例のように降圧素子に限られず、昇圧素子でもよい。第２の電圧は、昇圧素子である回路素子１７によって昇圧された検出電圧でもよい。
【００２５】
図４は、通信機の構成例を示すブロック図である。図４に示す通信機３は、端子３０から入力される送信信号を増幅する、利得が可変である増幅器３１、および増幅器３１が出力する送信信号の一部を取り出す方向性結合器３２を備える。増幅器３１で増幅された送信信号は、方向性結合器３２を経由して、アンテナ３３から送信される。通信機３は、方向性結合器３２が出力する送信信号の電圧を検出し、検出電圧を出力する出力検波器３４、および、検出電圧と閾値Ｔｈ０との差を低減する方向に増幅器３１の利得を制御するＡＬＣ回路３５をさらに備える。通信機３においては、ＡＬＣ回路３５のみによって、増幅器３１の利得制御が行われる。
【００２６】
第１のＡＬＣ回路１５および第２のＡＬＣ回路１６が行う増幅器１１の利得制御について説明する。図５は、実施の形態１に係る増幅器の出力電圧の例を示す図である。図５は、図２に示す通信機１における増幅器１１の出力電圧の例を示す図である。第１のＡＬＣ回路１５では追従できない急峻な立ち上がりを有する送信信号が入力された場合を例にして説明する。図５において、横軸が時刻であり、縦軸が電圧である。図５において、図２に示す通信機１における増幅器１１の出力電圧を太い実線で示し、図２に示す通信機１における第２のＡＬＣ回路１６に入力される第２の電圧を細い実線で示す。また図４に示す通信機３における増幅器３１の出力電圧を一点鎖線で示す。ＡＬＣ回路３５の時定数は、第１のＡＬＣ回路１５と同じである。
【００２７】
送信信号の立ち上がりに応じて、時刻Ｔ０から増幅器１１の出力電圧が増大する。時刻Ｔ１において、第２の電圧がＴｈ０に到達する。第２のＡＬＣ回路１６は、第２の電圧がＴｈ０より大きい場合に、第２の電圧とＴｈ０との差を低減する方向に増幅器１１の利得を制御する。これにより、第２の電圧がＴｈ０に維持される。時刻Ｔ１から時刻Ｔ２までは、第２の電圧がＴｈ０に維持され、増幅器１１の出力電圧は、Ｔｈ０より大きい値で維持される。第２のＡＬＣ回路１６の時定数より時定数が大きい第１のＡＬＣ回路１５は、時刻Ｔ２において、増幅器１１の利得の制御を開始する。時刻Ｔ２に、第１のＡＬＣ回路１５が増幅器１１の利得の制御を開始すると、増幅器１１の出力電圧は低下する。時刻Ｔ３において、増幅器１１の出力電圧は、Ｔｈ０に到達する。時刻Ｔ３以降は、増幅器１１の出力電圧がＴｈ０に維持される。
【００２８】
同様に、送信信号の立ち上がりに応じて、時刻Ｔ０から増幅器３１の出力が増大する。ＡＬＣ回路３５は、時刻Ｔ２において、増幅器３１の利得の制御を開始する。時刻Ｔ２に、ＡＬＣ回路３５が増幅器３１の利得の制御を開始すると、増幅器３１の出力電圧は低下する。増幅器３１の出力電圧がＴｈ０に到達する時刻は、時刻Ｔ３より遅い。
【００２９】
図２に示す通信機１は、第１のＡＬＣ回路１５および第２のＡＬＣ回路１６によって増幅器１１の利得を制御するため、増幅器１１の利得を急峻な送信信号の変化に対し、ＡＬＣ回路３５のみで増幅器３１の利得を制御する通信機３よりも精度よく追従させることが可能である。これにより、オーバーシュートの発生を抑制することが可能である。時刻Ｔ２以降は、第１のＡＬＣ回路１５が増幅器１１の利得を制御することで、第２の電圧はＴｈ０に到達しないため、第２のＡＬＣ回路１６は増幅器１１の利得の制御を行わない。すなわち、第２のＡＬＣ回路１６は、第１のＡＬＣ回路１５の動作に影響を及ぼさない。
【００３０】
図６は、実施の形態１に係る増幅器の出力電圧の例を示す図である。図６は、図２に示す通信機１における増幅器１１の出力電圧の例を示す図である。第１のＡＬＣ回路１５で追従可能な立ち上がりを有する送信信号が入力された場合を例にして説明する。図の見方は図５と同様である。図６において、増幅器１１の出力電圧を太い実線で示し、第２の電圧を細い実線で示す。同様の送信信号が入力された場合の増幅器３１の出力電圧の変化は、太い実線で示される増幅器１１の出力電圧の変化と同様である。送信信号の立ち上がりに応じて、時刻Ｔ０から増幅器１１の出力電圧が増大する。第１のＡＬＣ回路１５は、時刻Ｔ４において、増幅器１１の利得の制御を開始する。時刻Ｔ５において、増幅器１１の出力電圧はＴｈ０に到達し、時刻Ｔ５以降は、増幅器１１の出力電圧は、Ｔｈ０で維持される。時刻Ｔ０から時刻Ｔ４までの間は、第２の電圧がＴｈ０に到達していないため、第２のＡＬＣ回路１６は増幅器１１の利得の制御を行わない。また時刻Ｔ４以降は、第１のＡＬＣ回路１５が増幅器１１の利得を制御することで、第２の電圧はＴｈ０に到達しないため、第２のＡＬＣ回路１６は増幅器１１の利得の制御を行わない。すなわち、第２のＡＬＣ回路１６は、第１のＡＬＣ回路１５の動作に影響を及ぼさない。
【００３１】
上述のように、図２に示す通信機１においては、第１のＡＬＣ回路１５が追従可能な立ち上がりを有する送信信号が入力された場合には、第１のＡＬＣ回路１５が増幅器１１の利得を制御する。また第１のＡＬＣ回路１５が追従できない急峻な立ち上がりを有する送信信号が入力された場合には、第１のＡＬＣ回路１５の制御では間に合わないため、第２のＡＬＣ回路１６が増幅器１１の利得を制御する。
【００３２】
図７は、実施の形態１に係る増幅器の出力電圧の例を示す図である。図７は、図１に示す通信機１における増幅器１１の出力電圧の例を示す図である。第１のＡＬＣ回路１５では追従できない急峻な立ち上がりを有する送信信号が入力された場合を例にして説明する。図の見方は図５と同様である。図７において、図１に示す通信機１における増幅器１１の出力電圧を太い実線で示す。また図４に示す通信機３における増幅器３１の出力電圧を一点鎖線で示す。図７の例では、通信機１で用いられるＴｈ１はＴｈ２より小さく、第１の電圧および第２の電圧は、出力検波器１４が出力する検出電圧である。また通信機３で用いられるＴｈ０はＴｈ１と同じ値である。
【００３３】
送信信号の立ち上がりに応じて、時刻Ｔ０から増幅器１１の出力電圧が増大する。時刻Ｔ１において、増幅器１１の出力電圧がＴｈ２に到達する。すなわち、時刻Ｔ１において、第２の電圧がＴｈ２に到達する。第２のＡＬＣ回路１６は、第２の電圧がＴｈ２より大きい場合に、第２の電圧とＴｈ２との差を低減する方向に増幅器１１の利得を制御する。第２のＡＬＣ回路１６の制御により、増幅器１１の出力電圧がＴｈ２に維持される。時刻Ｔ１から時刻Ｔ２までは、増幅器１１の出力電圧はＴｈ２に維持される。第２のＡＬＣ回路１６の時定数より時定数が大きい第１のＡＬＣ回路１５は、時刻Ｔ２において、増幅器１１の利得の制御を開始する。時刻Ｔ２に、第１のＡＬＣ回路１５が増幅器１１の利得の制御を開始すると、増幅器１１の出力電圧は低下する。時刻Ｔ３において、増幅器１１の出力電圧は、Ｔｈ１に到達する。時刻Ｔ３以降は、増幅器１１の出力電圧がＴｈ１に維持される。
【００３４】
同様に、送信信号の立ち上がりに応じて、時刻Ｔ０から増幅器３１の出力が増大する。ＡＬＣ回路３５は、時刻Ｔ２において、増幅器３１の利得の制御を開始する。時刻Ｔ２に、ＡＬＣ回路３５が増幅器３１の利得の制御を開始すると、増幅器３１の出力電圧は低下する。増幅器３１の出力電圧がＴｈ０に到達する時刻は、時刻Ｔ３より遅い。
【００３５】
図２に示す通信機１は、第１のＡＬＣ回路１５および第２のＡＬＣ回路１６によって増幅器１１の利得を制御するため、増幅器１１の利得を急峻な送信信号の変化に対し、ＡＬＣ回路３５のみで増幅器３１の利得を制御する通信機３よりも精度よく追従させることが可能である。これにより、オーバーシュートの発生を抑制することが可能である。時刻Ｔ２以降は、第１のＡＬＣ回路１５が増幅器１１の利得を制御することで、第２の電圧はＴｈ２に到達しないため、第２のＡＬＣ回路１６は増幅器１１の利得の制御を行わない。すなわち、第２のＡＬＣ回路１６は、第１のＡＬＣ回路１５の動作に影響を及ぼさない。
【００３６】
図８は、実施の形態１に係る増幅器の出力電圧の例を示す図である。図８は、図１に示す通信機１における増幅器１１の出力電圧の例を示す図である。第１のＡＬＣ回路１５で追従可能な立ち上がりを有する送信信号が入力された場合を例にして説明する。図の見方は図５と同様である。図８において、増幅器１１の出力電圧を太い実線で示す。同様の送信信号が入力された場合の増幅器３１の出力電圧の変化は、太い実線で示される増幅器１１の出力電圧の変化と同様である。送信信号の立ち上がりに応じて、時刻Ｔ０から増幅器１１の出力電圧が増大する。第１のＡＬＣ回路１５は、時刻Ｔ４において、増幅器１１の利得の制御を開始する。時刻Ｔ５において、増幅器１１の出力電圧はＴｈ１に到達し、時刻Ｔ５以降は、増幅器１１の出力電圧は、Ｔｈ１で維持される。時刻Ｔ０から時刻Ｔ４までの間は、増幅器１１の出力電圧がＴｈ２に到達していないため、第２のＡＬＣ回路１６は増幅器１１の利得の制御を行わない。また時刻Ｔ４以降は、第１のＡＬＣ回路１５が増幅器１１の利得を制御することで、増幅器１１の出力電圧はＴｈ２に到達しないため、第２のＡＬＣ回路１６は増幅器１１の利得の制御を行わない。すなわち、第２のＡＬＣ回路１６は、第１のＡＬＣ回路１５の動作に影響を及ぼさない。
【００３７】
図２に示す通信機１と同様に、図１に示す通信機１においても、第１のＡＬＣ回路１５が追従可能な立ち上がりを有する送信信号が入力された場合には、第１のＡＬＣ回路１５が増幅器１１の利得を制御する。また第１のＡＬＣ回路１５が追従できない急峻な立ち上がりを有する送信信号が入力された場合には、第１のＡＬＣ回路１５の制御では間に合わないため、第２のＡＬＣ回路１６が増幅器１１の利得を制御する。
【００３８】
以上説明したとおり、本実施の形態１に係る通信機１によれば、第１のＡＬＣ回路１５に加えて、第２の電圧が第２の閾値より大きい場合に、第２の電圧と第２の閾値との差を低減する方向に増幅器１１の利得を制御し、時定数が第１のＡＬＣ回路１５の時定数より小さい第２のＡＬＣ回路１６を備えることで、送信電波の品質を維持しながら、オーバーシュートの発生を抑制することが可能である。
【００３９】
（実施の形態２）
図９は、本発明の実施の形態２に係る通信機の構成例を示すブロック図である。実施の形態２に係る通信機１は、図１に示す実施の形態１に係る通信機１の構成に加えて、出力検波器１４と第２のＡＬＣ回路１６との間に設けられる、交流成分を抽出して出力する抽出器１８を備える。図９の例では、通信機１は、抽出器１８として、コンデンサ１８１を備える。コンデンサ１８１によって、出力検波器１４の出力側と第２のＡＬＣ回路１６の入力側がＡＣ（Alternative Current）結合される。コンデンサ１８１によって直流成分が除去された検出電圧が第２のＡＬＣ回路１６に入力される。
【００４０】
第１のＡＬＣ回路１５が追従できない急峻な立ち上がりを有する送信信号は、パルス信号である。そのため、第２のＡＬＣ回路１６が、抽出器１８で抽出された交流成分がＴｈ２より大きい場合に、交流成分とＴｈ２との差を低減する方向に増幅器１１の利得を制御することで、増幅器１１の利得を送信信号の変化に追従させることが可能である。Ｔｈ１とＴｈ２は同じ値でもよいし、異なる値でもよい。
【００４１】
図１０は、実施の形態２に係る増幅器の出力電圧の例を示す図である。第１のＡＬＣ回路１５では追従できない急峻な立ち上がりを有する送信信号が入力された場合を例にして説明する。図の見方は図５と同様である。図１０において、図９に示す通信機１における増幅器１１の出力電圧を太い実線で示し、図９に示す通信機１における第２のＡＬＣ回路１６に入力される第２の電圧を細い実線で示す。また図４に示す通信機３における増幅器３１の出力電圧を一点鎖線で示す。図９の例では、通信機１で用いられるＴｈ１はＴｈ２より小さい。また第１の電圧は、出力検波器１４が出力する検出電圧であり、第２の電圧は、抽出器１８によって直流成分が除去された検出電圧である。
【００４２】
送信信号の立ち上がりに応じて、時刻Ｔ０から増幅器１１の出力電圧が増大する。時刻Ｔ１において、増幅器１１の出力電圧がＴｈ２に到達する。また送信信号はパルス信号であるため、抽出器１８で抽出された交流成分が第２のＡＬＣ回路１６に入力される。時刻Ｔ１において、第２の電圧がＴｈ２に到達する。第２のＡＬＣ回路１６は、第２の電圧がＴｈ２より大きい場合に、第２の電圧とＴｈ２との差を低減する方向に増幅器１１の利得を制御する。第２のＡＬＣ回路１６の制御により、増幅器１１の出力電圧がＴｈ２に維持される。第２のＡＬＣ回路１６の時定数より時定数が大きい第１のＡＬＣ回路１５は、時刻Ｔ２において、増幅器１１の利得の制御を開始する。時刻Ｔ２に、第１のＡＬＣ回路１５が増幅器１１の利得の制御を開始すると、増幅器１１の出力電圧は低下する。時刻Ｔ３において、増幅器１１の出力電圧は、Ｔｈ１に到達する。時刻Ｔ３以降は、増幅器１１の出力電圧がＴｈ１に維持される。また第２の電圧は、パルス信号であるから、時刻Ｔ３以降も、第２の電圧は減少する。
【００４３】
第１のＡＬＣ回路１５で追従可能な立ち上がりを有する送信信号が入力された場合の、実施の形態２に係る増幅器１１の出力電圧の例は、図８と同様である。第１のＡＬＣ回路１５で追従可能な立ち上がりを有する送信信号はパルス信号ではないため、第２のＡＬＣ回路１６は増幅器１１の利得の制御を行わない。
【００４４】
図９に示す通信機１においても、第１のＡＬＣ回路１５が追従可能な立ち上がりを有する送信信号が入力された場合には、第１のＡＬＣ回路１５が増幅器１１の利得を制御する。また第１のＡＬＣ回路１５が追従できない急峻な立ち上がりを有する送信信号が入力された場合には、第１のＡＬＣ回路１５の制御では間に合わないため、第２のＡＬＣ回路１６が増幅器１１の利得を制御する。
【００４５】
以上説明したとおり、本実施の形態２に係る通信機１によれば、出力検波器１４と第２のＡＬＣ回路１６との間に抽出器１８を設けることで、送信電波の品質を維持しながら、オーバーシュートの発生を抑制することが可能である。
【００４６】
本発明の実施の形態は上述の実施の形態に限られない。上述の実施の形態における回路構成は一例である。例えば、昇圧素子である回路素子１７を、出力検波器１４と第１のＡＬＣ回路１５との間に設けてもよい。
【符号の説明】
【００４７】
１，３    通信機
１０，３０    端子
１１，３１    増幅器
１２，３２    方向性結合器
１３，３３    アンテナ
１４，３４    出力検波器
１５    第１のＡＬＣ回路
１６    第２のＡＬＣ回路
１７    回路素子
１８    抽出器
２０    コントローラ
２１    ＣＰＵ
２２    Ｉ／Ｏ
２３    ＲＡＭ
２４    ＲＯＭ
３５    ＡＬＣ回路
１７１    抵抗
１７２    ダイオード
１８１    コンデンサ
【図１】
2018121266.tif 000003
【図２】
2018121266.tif 000004
【図３】
2018121266.tif 000005
【図４】
2018121266.tif 000006
【図５】
2018121266.tif 000007
【図６】
2018121266.tif 000008
【図７】
2018121266.tif 000009
【図８】
2018121266.tif 000010
【図９】
2018121266.tif 000011
【図１０】
2018121266.tif 000012